(57)【要約】【課題】エレベーターの乗りかごの乗降を円滑にすることが可能なエレベーターを提供する。【解決手段】行き先階を登録するかご呼び登録釦を乗りかご１内に設けたエレベーターにおいて、前記かご呼び登録釦は、前記乗りかごの出入り口側から奥側に向かう側壁面に設けられ、前記乗りかごが上り運転を行う場合、前記かご呼び登録釦の行き先階床が増加する方向に配列された上り専用かご呼び登録釦２、前記乗りかごが下り運転を行う場合、前記かご呼び登録釦の行き先階床が減少する方向に配列された下り専用かご呼び登録釦３とした。【選択図】図１
2016060566.tif 000002
【特許請求の範囲】
【請求項１】
行き先階を登録するかご呼び登録釦を乗りかご内に設けたエレベーターにおいて、前記かご呼び登録釦は、前記乗りかごの出入り口側から奥側に向かう側壁面に設けられ、前記乗りかごが上り運転を行う場合、前記かご呼び登録釦の行き先階床が増加する方向に、前記乗りかごが下り運転を行う場合、前記かご呼び登録釦の行き先階床が減少する方向に配列されているエレベーター。
【請求項２】
請求項１において、前記乗りかごが上り運転を行う場合、前記かご呼び登録釦の行き先階床が増加する方向に配列されたかご呼び登録釦は上り専用かご呼び登録釦であり、前記乗りかごが下り運転を行う場合、前記かご呼び登録釦の行き先階床が減少する方向に配列されたかご呼び登録釦は、前記上り専用かご呼び登録釦と異なる側壁面に設けられた下り専用かご呼び登録釦であるエレベーター。
【請求項３】
請求項１において、前記乗りかごが上り運転を行う場合、前記かご呼び登録釦の行き先階床が増加する方向に、前記乗りかごが下り運転を行う場合、前記かご呼び登録釦の行き先階床が減少する方向に配列されるかご呼び登録釦は、タッチパネルで構成されており、前記乗りかごの運転方向に応じて配列を変更するものであるエレベーター。
【発明の詳細な説明】
【技術分野】
【０００１】
本発明は、エレベーターに関する。
【背景技術】
【０００２】
エレベーターにおいては、乗りかごへの乗客の円滑な乗降が望まれている。乗客がスムーズに乗り込むことができるようにエレベーターの乗りかご内の乗客を誘導することが特許文献１に記載されている。このエレベーター用乗客誘導装置は、乗りかご内の床板にＬＥＤパネルを、乗りかご上方にスピーカーを、乗りかごの床に振動発生装置を設け、このＬＥＤの発光、スピーカーから報知、振動発生装置を振動させることで、エレベーターの乗りかご内における乗客を滞留推奨領域まで誘導するものである。具体的には、車いすやベビーカーの乗りこみを円滑にするため、乗りかご内の乗客を上記ＬＥＤ等で滞留推奨領域である乗りかごの壁側に誘導するようにしている。これにより、乗りかごの中央付近に乗客が立っていないので車いす等が乗りこみやすくなるというものである。
【先行技術文献】
【特許文献】
【０００３】
【特許文献１】特開２０１３‐５６７５１号公報
【発明の概要】
【発明が解決しようとする課題】
【０００４】
しかしながら、上述した特許文献１に記載されたエレベーター用乗客誘導装置は、車いすなどの乗りこみについては開示されているものの、エレベーターの乗降について配慮されていない。エレベーターの乗降の際の時間短縮、乗降の際の乗客同士の譲り合いなどの煩わしさについて配慮されていないという問題点を有していた。
【０００５】
本発明の目的は、エレベーターの乗りかごの乗降を円滑にすることが可能なエレベーターを提供することにある。
【課題を解決するための手段】
【０００６】
上記目的は、行き先階を登録するかご呼び登録釦を乗りかご内に設けたエレベーターにおいて、前記かご呼び登録釦は、前記乗りかごの出入り口側から奥側に向かう側壁面に設けられ、前記乗りかごが上り運転を行う場合、前記かご呼び登録釦の行き先階床が増加する方向に、前記乗りかごが下り運転を行う場合、前記かご呼び登録釦の行き先階床が減少する方向に配列されることにより達成される。
【発明の効果】
【０００７】
本発明によれば、エレベーターの乗りかごの乗降を円滑にすることが可能なエレベーターを提供することができる。
【図面の簡単な説明】
【０００８】
【図１】本発明の一実施形態に係るエレベーターの乗りかご内を示す図である。
【図２】本発明の一実施形態に係るエレベーターのかご呼び釦の配列を示す図である。
【発明を実施するための形態】
【０００９】
以下、本発明に係るエレベーターの一実施形態を図１及び図２に基づいて詳説する。図１は、本発明の一実施形態に係るエレベーターの乗りかご内を示す図である。図２はかご呼び釦の配列を示す図である。
【００１０】
図１において、乗りかご１には、出入口４が設けられている。乗客５Ａ及び乗客５Ｂはこの出入口４から乗りかご１内に乗り込み、乗りかご１から降車する。通常、エレベーターの乗りかご１内の出入口４側の片側若しくは両壁面に行き先階を登録するかご呼び釦が設けられている。従って、乗客は乗りかご１に乗り込んだ後、目的階である行き先階をかご呼び釦により登録すると、乗りかご内の空いている位置に自由に移動する。このため目的の行き先階に乗りかご１が到着したときに扉を有する出入口４付近に降車しない他の乗客が立っている場合、なかなか下りることができず、乗降に時間がかかってしまい他階の待ち時間が長くなるという問題があり、また譲合う際に煩わしいといった問題がある。
【００１１】
この問題を解決するため、本実施形態では、図１に示すように、エレベーターの乗りかご１内に設けられたかご呼び釦を、上り専用かご呼び登録釦２（上り専用操作盤）と下り専用かご呼び登録釦３(下り専用操作盤）とに分離することとした。
【００１２】
上り専用かご呼び登録釦２は、乗りかご１の側壁面であって乗りかご１の出入口４の手前から奥に向かって行き先階床が増加する方向に所定の間隔を空けて配列されている。反対に、下り専用かご呼び登録釦３は乗りかご１の側壁面であって乗りかご１の出入口４の手前から奥に向かって行き先階床が減少する方向に所定の間隔を空けて配列されている。乗りかご１が上層階に向かう場合は、上り専用かご呼び登録釦２が有効となっており、下り専用かご呼び釦３は無効になっている。このため、下り専用かご呼び釦３の階呼び登録釦が押されても行き先階登録がなされたことを示す内部ランプは点灯しない。また、乗りかご１が下層階に向かう場合は、下り専用かご呼び釦３が有効になっており、上り専用かご呼び釦２は無効になっている。このため、上り専用かご呼び釦２の階呼び登録釦が押されても行き先階登録がなされたことを示す内部ランプは点灯しない。
【００１３】
図２に上り専用かご呼び登録釦２及び下り専用かご呼び登録釦３の配列を示す。図２の上段は、上り専用かご呼び登録釦２であり、紙面向かって右側が本図には図示しない出入口４であり、左側が乗りかご１の奥側である。図２の下段は、下り専用かご呼び登録釦３であり、同様に、紙面向かって右側が出入口４であり、左側が乗りかご１の奥側である。
【００１４】
上り専用かご呼び登録釦２は、図示するように、出入口側４から奥側に向かって行き先階床が大きくなるように配列されている。本図の場合、６階建ての建物（地下階なし）で、出入口４側から２階呼び登録釦２ａ、３階呼び登録釦２ｂ、４階呼び登録釦２ｃ、５階呼び登録釦２ｄ、６階呼び登録釦２ｅがこの順で並んで配置されている。また、下り専用かご呼び登録釦３は、乗りかご４の奥側（紙面向かって左側）から順番に１階呼び登録釦３ｅ、２階呼び登録釦３ｄ、３階呼び登録釦３ｃ、４階呼び登録釦３ｂ、５階呼び登録釦３ａ配列されている。
【００１５】
なお、上り専用かご呼び登録釦２に１階呼び登録釦を設けていない理由は、上り専用故１階よりも上の階から１階を行き先階とする場合はないからである。反対に下り専用かご呼び登録釦３に６階呼び登録釦がない理由も同様である。
【００１６】
この構成による乗客の乗降、特に降車が円滑になる作用を説明する。
【００１７】
図１において、乗客５Ａは目的階を６階、乗客５Ｂは目的階を４階として１階乗り場にて待機している。この時、エレベーターの乗りかご１が１階乗り場に到着し、かごの出入口４が開き、乗客５Ａ及び乗客５Ｂが乗りかご１内に乗り込む。乗り込んだ乗客５Ａ及び乗客５Ｂは、上り専用呼び登録釦２の目的階である６階呼び登録釦２ｅ及び４階呼び登録釦２ｃの釦のある場所まで移動し釦を操作して呼びの登録を行う(図１に示された状態)。この動作により、乗客５Ａ及び乗客５Ｂをかご内での降車順の立ち位置に誘導することを可能としている。
【００１８】
エレベーターが上昇運転を開始し、まず、乗りかご乗客５Ｂの目的階である４階に到着し、乗客５Ｂはエレベーター乗りかご１より降りる。この時、乗客５Ａのかご内での立ち位置は乗客５Ｂより後方（奥側）である為、降りる際に障害も無く、スムースに降車を行うことができる。次に乗客５Ａは、エレベーター乗りかご１の後方の立ち位置であり、最後にエレベーター乗りかご１から降車する為、乗客５Ｂの降車の際にも譲り合いなどのわずらわしさも無く、目的階である６階に到着し、エレベーター乗りかご１から降車する。以上のことから、スムースな降車を行い時間の短縮やわずらわしさの低減を可能としている。
【００１９】
なお、エレベーターの乗りかご１に乗った乗客は、出入口４から入ったときに左右どちらの操作盤によって行き先階登録を行えばよいかわからないので、例えば操作盤の上部に、こちらの操作盤で操作できる旨の案内表示を設けることで迷うことなく釦を押下させることができる。
【００２０】
次に、エレベーターの下降運転においては、下り専用かご呼び登録釦（操作盤）３の１階呼び登録釦３ｅをエレベーター乗りかご１の後方に配置して、乗客のエレベーター乗りかご１内での立ち位置を後方に誘導することで、中間の階での乗降が発生しても、かごの出入り口４付近に乗客はいない為、前記のエレベーターが上昇運転した場合と同様にスムースな乗降を可能としている。
【００２１】
本実施形態では、出入口４から乗りかご１の奥側に向かって右側に上り専用かご呼び登録釦２を、向かって左側に下り専用かご呼び登録釦３を設けたが、階呼び登録釦の並びを変えずに左右を変えても同様の効果を得ることができる。
【００２２】
また、通常のかご呼び釦の大きさでは、他の乗客の陰に釦が隠れて操作しにくいことを考慮して、釦の形状を例えば、５ｃｍ角、直径５ｃｍとしてもよい。
【００２３】
次に別の実施例を説明する。上記、第１の実施形態では、上り専用かご呼び登録釦２及び下り専用かご呼び登録釦３を固定釦としたが、エレベーターの乗りかご１内に設けられる上り専用かご呼び登録釦２及び下り専用かご呼び登録釦３とを出入口４側から奥側にかけて細長いタッチパネルとした。勿論、運転方向に対して降車順に呼び登録釦２aから２e及び３aから３eの配列を自動的に変化させる。また、このタッチパネルは、乗りかご１の一方の壁面に設けることで足りる。両方の壁面に設けて両タッチパネル共に運転方向に対して降車順に呼び登録釦を表示（上りの場合、出入口４側から乗りかご１の奥側に向かって、表示される行き先階床の数字が大きくなるように、下りの場合、出入口４側から乗りかご１の奥側に向かって、表示される行き先階床の数字が小さくなるように表示）することで、乗りかご１内が混雑している場合であっても、後から入ってきた乗客は左右いずれかの呼び登録釦を利用することができる。
【００２４】
以上本実施形態によれば、第１の実施形態と比較して構成部品数を少なくし、安価にすることができる。
【符号の説明】
【００２５】
１…エレベーターの乗りかご、２…上り専用かご呼び登録釦（上り専用操作盤）、３…下り専用かご呼び登録釦（下り専用操作盤）、４…出入口、５Ａ…乗客、５Ｂ…乗客、２ａ…２階呼び登録釦、２ｂ…３階呼び登録釦、２ｃ…４階呼び登録釦、２ｄ…５階呼び登録釦、２ｅ…６階呼び登録釦、３ａ…５階呼び登録釦、３ｂ…４階呼び登録釦、４ｃ…３階呼び登録釦、５ｄ…２階呼び登録釦、６ｅ…１階呼び登録釦
【図１】
2016060566.tif 000003
【図２】
2016060566.tif 000004